【事件の表示】
　特願２０１１−１８５８７６「プリンタ及び印刷処理プログラム並びに印刷処理方法」拒絶査定不服審判事件〔平成２５年　３月　７日出願公開、特開２０１３−　４６９６８〕について、次のとおり審決する。
【結　論】
　本件審判の請求は、成り立たない。
【理　由】
１．手続の経緯
　本件出願は、平成２３年８月２９日の出願であって、平成２６年１２月１６日付けで拒絶理由通知がなされ、平成２７年２月２０日付けで意見書及び手続補正書が提出され、同年７月１日付けで最後の拒絶理由通知がなされ、同年９月２日付けで意見書及び手続補正書が提出されたが、平成２８年１月５日付けで、平成２７年９月２日付け手続補正が却下されるとともに、拒絶査定がなされ（同査定の謄本の送達（発送）日　平成２８年１月１２日）、これに対し平成２８年４月８日付けで拒絶査定に対する審判請求及びこれと同時にする手続補正がなされ、さらに、当審において、同年１１月９日付けで拒絶理由を通知したところ、同年１２月２６日付けで意見書及び手続補正書が提出されたものである。
２．本願の発明
　本願の請求項１に係る発明は、上記の平成２８年１２月２６日付け手続補正によって補正された特許請求の範囲の記載からみて、その特許請求の範囲の請求項１に記載された次のとおりのものと認める（以下、「本願発明」という。）。
「【請求項１】
　ＵＳＢポートと、
　前記ＵＳＢポートに接続されたホストがリムーバブルドライブとして認識可能な通常記憶領域を有するメモリと、
　アプリケーションプログラムで作成された印刷データに基づいて印刷を行う印刷手段と、
　前記印刷手段及び前記メモリを制御するプロセッサと
を有するプリンタであって、
　前記通常記憶領域は、
　前記アプリケーションプログラムの実行ファイルが記憶された第１メモリ領域と、
　前記印刷データを含む複数の命令ファイルを個別にそれぞれ書き込み可能な２つの第２メモリ領域と、
を含み、
　前記メモリは、
　前記命令ファイルから取り出された前記印刷データを一時的に記憶可能な印刷バッファ領域を含み、
　前記プロセッサは、
　前記アプリケーションプログラムの実行ファイルが前記ホストに読み出されて実行された場合に、
　前記ホストから受信した前記印刷データを含む複数の命令ファイルのうち時系列の前後で異なる１つずつを前記２つの第２メモリ領域を交互に使用しながら書き込むことで、当該２つのうちの１つの第２メモリ領域に記憶されていた元の１つの命令ファイルの内容を更新するファイル書き込み処理；
　前記ファイル書き込み処理により前記１つの第２メモリ領域に書き込まれた前記１つの命令ファイルを解析し前記印刷データを取り出す、印刷データ取り出し処理；
　前記印刷データ取り出し処理により取り出した前記印刷データを、データ展開元としての前記第２メモリ領域から、データ展開先としての前記印刷バッファ領域へ展開する、データ展開処理；
　前記ファイル書き込み処理により前記１つの第２メモリ領域に書き込まれた後前記データ展開処理により前記印刷バッファ領域に展開された、前記１つの命令ファイルに対応した印刷データの印刷を、前記印刷手段に実行させる印刷処理；
　前記ファイル書き込み処理が終了し前記データ展開処理が終了した後、前記１つの第２メモリ領域に記憶保持され解析対象とされた前記１つの命令ファイルの内容を後に更新可能とするための、更新準備処理；
を含む複数の処理を、前記複数の命令ファイルについて、前記２つの第２メモリ領域のうち一方に書き込まれた後に前記印刷バッファ領域に展開された、先行する前記命令ファイルの前記印刷処理と、前記２つの第２メモリ領域のうち他方に対する、後続の前記命令ファイルの前記ファイル書き込み処理とを同時並行させつつ順次行う
ことを特徴するプリンタ。」
３．当審で指摘した拒絶理由の概要
　当審において平成２８年１１月９日付けで通知した拒絶理由（以下、「当審拒絶理由」という）の概要は次のとおりである。
　この出願の下記の請求項に係る発明は、その出願前日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　
　　　　　記　　　（引用文献等については引用文献等一覧参照）
　
・請求項　１、２、５、６
・引用文献等　１〜５
・請求項　３、４
・引用文献等　１〜６
　　　　　　　　　　　引　用　文　献　等　一　覧
引用文献１．特開２０１１−１３８２５５号公報
引用文献２．特開２０１０−２１９６８９号公報
引用文献３．特開２０１０−１４０２１４号公報
引用文献４．特開２０１０−１０００６５号公報
引用文献５．特開平５−３３０１５５号公報
引用文献６．特開平９−２１６４３９号公報
４．引用例
（１）当審拒絶理由に引用文献１として引用された、本願の出願日前に頒布された刊行物である特開２０１１−１３８２５５号公報（以下、「引用例１」という。）には、図面と共に次の事項が記載されている（下線は審決で付した。以下同じ。）。
ア．「【００１３】
［２．本発明の内部構成］次に、本実施の形態に係る印刷システム１０１のプリンター１とＵＳＢメモリ４０１の内部構成について、図３を参照しつつ説明する。図３は、本実施の形態に係る印刷システム１０１のプリンター１とＵＳＢメモリ４０１の内部構成を示したブロック図である。図３に示すように、本実施の形態において、
プリンター１では
第１ＵＳＢポートＰ１
が接続されている
（中略）
【００１４】
　また、本実施の形態に係る印刷システム１０１のプリンター１では、入出力インターフェース３１に対して、ＣＰＵ３２、ＲＯＭ３３、ＲＡＭ３４、及びＦＬＡＳＨ・ＲＯＭ３６等が接続されている。ＣＰＵ３２は、後述する各プログラム等を実行するものであって、印刷関係以外の制御プログラムが記憶されるキャッシュメモリ等を内蔵するものである。また、
ＣＰＵ３２は、
駆動回路５４，５６等を作動させ、
通常記憶領域４０に記憶されている印刷データを印字テープ２に印刷し
２つの駆動回路５４，５６やサーマルヘッド５５やテープ送りモータ５７等により、「印刷手段」が構成される
【００１５】
　また、ＲＯＭ３３には、印刷関係以外の制御プログラム等が記憶されている。ＲＡＭ３４は、種々の制御プログラムをＣＰＵ３２で実行するときの作業領域を提供する。
　ＦＬＡＳＨ・ＲＯＭ３６には、印刷関係の制御プログラム３７、及び管理テーブル３９等が記憶されており、さらに、通常記憶領域４０等が設けられている。さらに、
通常記憶領域４０には、アプリケーションプログラム記憶領域４１、命令ファイル配置領域４２
が設けられている
【００１６】
　管理テーブル３９は、ＦＬＡＳＨ・ＲＯＭ３６内の通常記憶領域４０への書き込みをＵＳＢ規格で管理するものであって、
第１ＵＳＢポートＰ１に接続されたパソコン１１１に対し、ＦＬＡＳＨ・ＲＯＭ３６内の通常記憶領域４０をリムーバブルドライブとして認識させる
　
アプリケーションプログラム記憶領域４１は、
第１のアプリケーションプログラムの実行ファイルが記憶されている
　
命令ファイル配置領域４２とは、
命令ファイル２０２
が格納される
イ．「【００２５】
　そこで、Ｓ１０における
パソコン１１１では、
第１のアプリケーションプログラムの実行ファイルをアプリケーションプログラムの実行ファイル２００として読み出して起動させる
ウ．「【００２９】
　Ｓ１２におけるパソコン１１１では、
ユーザーは、
第１
プリケーションプログラム
を使用して、
印刷データを作成する
エ．「【００３４】
　一方、プリンター１では、パソコン１１１にＵＳＢ接続されると、Ｓ１０１〜Ｓ１０８の各動作を制御するプログラムが実行される。尚、このプログラムは、ＲＯＭ３３に記憶されており、ＣＰＵ３２が自身のキャッシュメモリに読み込んで実行する。
　先ず、ＣＰＵ３２は、Ｓ１０１において、パソコン１１１から命令ファイル２０２を受信したか否かを判定する。ここで、パソコン１１１から命令ファイル２０２を受信していない場合には（Ｓ１０１：ＮＯ）、下記Ｓ１０７に進む。一方、
パソコン１１１から命令ファイル２０２を受信した場合には
　Ｓ１０２では、
ＣＰＵ３２は、
命令ファイル配置領域４２に、その命令ファイル２０２を上書きで記憶させる
【００３５】
　Ｓ１０３では、
ＣＰＵ３２は、
命令ファイル配置領域４２に上書きされた命令ファイル２０２の解析を行う
この解析では、命令ファイル２０２に含まれている印刷データが取り出される
　Ｓ１０４では、
ＣＰＵ３２は、
命令ファイル２０２から取り出された印刷データの印刷を、プリンター１が第１モードで起動している場合には、ＦＬＡＳＨ・ＲＯＭ３６に記憶されている印刷関係の制御プログラム３７に従って行う
　上記の記載事項を総合すると、引用例１には、次の発明（以下、「引用発明１」という。）が記載されているものと認められる。
「第１ＵＳＢポートＰ１が接続され、
第１ＵＳＢポートＰ１に接続されたパソコン１１１に対し、ＦＬＡＳＨ・ＲＯＭ３６内の通常記憶領域４０をリムーバブルドライブとして認識させ、
ユーザーは、第１のアプリケーションプログラムを使用して、印刷データを作成し、
ＣＰＵ３２は、駆動回路５４，５６等を作動させ、通常記憶領域４０に記憶されている印刷データを印字テープ２に印刷し、
２つの駆動回路５４，５６やサーマルヘッド５５やテープ送りモータ５７等により、「印刷手段」が構成され、
通常記憶領域４０には、アプリケーションプログラム記憶領域４１、命令ファイル配置領域４２が設けられ、
アプリケーションプログラム記憶領域４１は、第１のアプリケーションプログラムの実行ファイルが記憶され、
命令ファイル配置領域４２は、命令ファイル２０２が格納され、
パソコン１１１では、第１のアプリケーションプログラムの実行ファイルをアプリケーションプログラムの実行ファイル２００として読み出して起動させ、
パソコン１１１から印刷データを含む命令ファイル２０２を受信し、
ＣＰＵ３２は、命令ファイル配置領域４２に、その命令ファイル２０２を上書きで記憶させ、
ＣＰＵ３２は、命令ファイル配置領域４２に上書きされた命令ファイル２０２の解析を行い、この解析では、命令ファイル２０２に含まれている印刷データが取り出され、
ＣＰＵ３２は、命令ファイル２０２から取り出された印刷データの印刷を、ＦＬＡＳＨ・ＲＯＭ３６に記憶されている印刷関係の制御プログラム３７に従って行う
プリンター１。」
（２）当審拒絶理由に引用文献２として引用された、本願の出願日前に頒布された刊行物である特開２０１０−２１９６８９号公報（以下、「引用例２」という。）には、図面と共に次の事項が記載されている。
オ．「【００１８】
　以下の説明では、画像処理装置２０によりスキャンした画像データを印刷コンテンツデータとして画像処理装置２０からＩＰネットワーク１０を介して画像処理装置３０に送信し、印刷コンテンツデータを受信した
画像処理装置３０により
印刷コンテンツデータを印刷する
画像処理装置３０を「着信側端末３０」と称する
カ．「【００２９】
　実施例の印刷システムや着信側端末３０では、着信側端末３０のメモリー３６の容量のうち印刷用データに割り当てられた印刷用記憶容量の範囲内として設定された１０２４バイトずつ印刷コンテンツデータの送受信を行なうものとしたが、
着信側端末３０のメモリー３６に２ページ分の印刷用記憶領域を用意し、一方の印刷用記憶領域に書き込まれた１ページ分のデータを印刷している最中に他方の印刷用記憶領域に１ページ分のデータを受信する
１ページ分のデータをメモリー３６の一方の印刷用記憶領域に記憶すると、一方の印刷用記憶領域に記憶した１ページ分のデータに対してレンダリングと印刷を開始する
発信側端末２０から送信されるデータ応答メッセージと１ページ分のデータとを受信し、１ページ分のデータについてはメモリー３６の他方の印刷用記憶領域に記憶する
メモリー３６の一方の印刷用記憶領域に記憶されたデータの印刷が終了するのを待って
、メモリー３６の他方の印刷用記憶領域に記憶した１ページ分のデータに対してレンダリングと印刷を開始し
、印刷が終了したメモリー３６の一方の印刷用記憶領域に次の１ページ分のデータを記憶するための処理
を実行する
キ．上記オ．によれば、「画像処理装置３０を「着信側端末３０」と称する」のだから、「着信側端末３０」は「画像処理装置３０」である。
　上記の記載事項を総合すると、引用例２には、次の発明（以下、「引用発明２」という。）が記載されているものと認められる。
「画像処理装置３０のメモリー３６に２ページ分の印刷用記憶領域を用意し、一方の印刷用記憶領域に書き込まれた１ページ分のデータを印刷している最中に他方の印刷用記憶領域に１ページ分のデータを受信し、
１ページ分のデータをメモリー３６の一方の印刷用記憶領域に記憶すると、一方の印刷用記憶領域に記憶した１ページ分のデータに対してレンダリングと印刷を開始し、
発信側端末２０から送信されるデータ応答メッセージと１ページ分のデータとを受信し、１ページ分のデータについてはメモリー３６の他方の印刷用記憶領域に記憶し、
メモリー３６の一方の印刷用記憶領域に記憶されたデータの印刷が終了するのを待って、メモリー３６の他方の印刷用記憶領域に記憶した１ページ分のデータに対してレンダリングと印刷を開始し、印刷が終了したメモリー３６の一方の印刷用記憶領域に次の１ページ分のデータを記憶するための処理を実行する
印刷コンテンツデータを印刷する画像処理装置３０。」
５．対比
　本願発明と引用発明１とを対比する。
　後者の「第１ＵＳＢポートＰ１」は、その構造、機能、作用等からみて、前者の「ＵＳＢポート」に相当し、同様に、「パソコン１１１」は「ホスト」に、「プリンター１」は「プリンタ」に相当する。
　後者の「通常記憶領域４０」は、「第１ＵＳＢポートＰ１に接続されたパソコン１１１に対し」、「リムーバブルドライブとして認識させ」るものだから、前者の「ＵＳＢポートに接続されたホストがリムーバブルドライブとして認識可能な通常記憶領域」に相当し、同様に「ＦＬＡＳＨ・ＲＯＭ３６」は「メモリ」に相当する。
　後者において、「印刷手段」は「２つの駆動回路５４，５６やサーマルヘッド５５やテープ送りモータ５７等により」構成され、「駆動回路５４，５６等」は「印刷データを印字テープ２に印刷」するもので、印刷データは「第１のアプリケーションプログラムを使用して」作成されるから、後者の「印刷手段」は、「第１のアプリケーションプログラムを使用して」作成された「印刷データを印字テープ２に印刷」するものであって、前者の「アプリケーションプログラムで作成された印刷データに基づいて印刷を行う印刷手段」に相当する。
　後者の「ＣＰＵ３２」は、「通常記憶領域４０に記憶されている印刷データを印字テープ２に印刷」するから、「印刷手段」及び「通常記憶領域４０を含むＦＬＡＳＨ・ＲＯＭ３６」を制御していることは明らかであって、前者の「前記印刷手段及び前記メモリを制御するプロセッサ」に相当する。
　後者の「通常記憶領域４０には、アプリケーションプログラム記憶領域４１、命令ファイル配置領域４２が設けられ、アプリケーションプログラム記憶領域４１は、第１のアプリケーションプログラムの実行ファイルが記憶され、命令ファイル配置領域４２は、命令ファイル２０２が格納され、」と、前者の「通常記憶領域は、アプリケーションプログラムの実行ファイルが記憶された第１メモリ領域と、印刷データを含む複数の命令ファイルを個別にそれぞれ書き込み可能な２つの第２メモリ領域と、を含み、」とは、「通常記憶領域は、アプリケーションプログラムの実行ファイルが記憶された第１メモリ領域と、印刷データを含む命令ファイルを書き込み可能な第２メモリ領域と、を含み、」との概念で共通する。
　後者の「パソコン１１１では、第１のアプリケーションプログラムの実行ファイルをアプリケーションプログラムの実行ファイル２００として読み出して起動させ」る点は、前者の「前記アプリケーションプログラムの実行ファイルが前記ホストに読み出されて実行された」点に相当する。
　後者の「パソコン１１１から印刷データを含む命令ファイル２０２を受信した場合には、ＣＰＵ３２は、命令ファイル配置領域４２に、その命令ファイル２０２を上書きで記憶させ」ることと、前者の「前記ホストから受信した前記印刷データを含む複数の命令ファイルのうち時系列の前後で異なる１つずつを前記２つの第２メモリ領域を交互に使用しながら書き込むことで、当該２つのうちの１つの第２メモリ領域に記憶されていた元の１つの命令ファイルの内容を更新するファイル書き込み処理」とは、「ホストから受信した印刷データを含む命令ファイルを書き込むことで、第２メモリ領域に記憶されていた元の１つの命令ファイルの内容を更新するファイル書き込み処理」との概念で共通する。
　後者の「命令ファイル配置領域４２に上書きされた命令ファイル２０２の解析を行い、この解析では、命令ファイル２０２に含まれている印刷データが取り出され」ることは、上記の「ファイル書き込み処理」についての検討も踏まえると、前者の「前記ファイル書き込み処理により前記１つの第２メモリ領域に書き込まれた前記１つの命令ファイルを解析し前記印刷データを取り出す、印刷データ取り出し処理」に相当する。
　後者の「命令ファイル２０２から取り出された印刷データの印刷を、ＦＬＡＳＨ・ＲＯＭ３６に記憶されている印刷関係の制御プログラム３７に従って行う」ことと、前者の「前記ファイル書き込み処理により前記１つの第２メモリ領域に書き込まれた後前記データ展開処理により前記印刷バッファ領域に展開された、前記１つの命令ファイルに対応した印刷データの印刷を、前記印刷手段に実行させる印刷処理」とは、上記の「ファイル書き込み処理」についての検討も踏まえると、「ファイル書き込み処理により１つの第２メモリ領域に書き込まれた、１つの命令ファイルに対応した印刷データの印刷を、印刷手段に実行させる印刷処理」との概念で共通する。
　後者において、「命令ファイル配置領域４２に上書きされた命令ファイル２０２の解析を行い、この解析では、命令ファイル２０２に含まれている印刷データが取り出され」ることは、それ以前に命令ファイルが上書きされていることを前提としており、「命令ファイル２０２から取り出された印刷データの印刷を、ＦＬＡＳＨ・ＲＯＭ３６に記憶されている印刷関係の制御プログラム３７に従って行う」ことは、それ以前に印刷データが取り出されていることを前提としているから、「命令ファイル配置領域４２に、その命令ファイル２０２を上書きで記憶させ」ること、「命令ファイル配置領域４２に上書きされた命令ファイル２０２の解析を行い、この解析では、命令ファイル２０２に含まれている印刷データが取り出され」ること、及び、「命令ファイル２０２から取り出された印刷データの印刷を、ＦＬＡＳＨ・ＲＯＭ３６に記憶されている印刷関係の制御プログラム３７に従って行う」ことが順次行われることは明らかである。また、これらはいずれもＣＰＵ３２が行っていることである。そうすると、後者は「プロセッサは」「複数の処理を」「順次行う」ものであるといえる。
　したがって、両者は、
「ＵＳＢポートと、
　前記ＵＳＢポートに接続されたホストがリムーバブルドライブとして認識可能な通常記憶領域を有するメモリと、
　アプリケーションプログラムで作成された印刷データに基づいて印刷を行う印刷手段と、
　前記印刷手段及び前記メモリを制御するプロセッサと
を有するプリンタであって、
　前記通常記憶領域は、
　前記アプリケーションプログラムの実行ファイルが記憶された第１メモリ領域と、
　前記印刷データを含む命令ファイルを書き込み可能な第２メモリ領域と、
を含み、
　前記プロセッサは、
　前記アプリケーションプログラムの実行ファイルが前記ホストに読み出されて実行された場合に、
　前記ホストから受信した前記印刷データを含む命令ファイル書き込むことで、第２メモリ領域に記憶されていた元の１つの命令ファイルの内容を更新するファイル書き込み処理；
　前記ファイル書き込み処理により前記１つの第２メモリ領域に書き込まれた前記１つの命令ファイルを解析し前記印刷データを取り出す、印刷データ取り出し処理；
　前記ファイル書き込み処理により前記１つの第２メモリ領域に書き込まれた、前記１つの命令ファイルに対応した印刷データの印刷を、前記印刷手段に実行させる印刷処理；
を含む複数の処理を、順次行う
ことを特徴するプリンタ。」
　の点で一致し、以下の点で相違している。
　［相違点１］
　前者が「複数の命令ファイルを個別にそれぞれ書き込み可能な２つの第２メモリ領域」を有し、「複数の命令ファイルのうち時系列の前後で異なる１つずつを２つの第２メモリ領域を交互に使用しながら書き込むことで、当該２つのうちの１つの第２メモリ領域に記憶されていた元の１つの命令ファイルの内容を更新する」のに対して、後者はそのようなものでない点。
　［相違点２］
　前者のメモリが「命令ファイルから取り出された印刷データを一時的に記憶可能な印刷バッファ領域」を含み、「印刷データ取り出し処理により取り出した印刷データを、データ展開元としての第２メモリ領域から、データ展開先としての印刷バッファ領域へ展開する、データ展開処理」を行うのに対して、後者はそのようなものでない点。
　［相違点３］
　前者の印刷データが「１つの第２メモリ領域に書き込まれた後データ展開処理により印刷バッファ領域に展開される」のに対して、後者はそのようなものでない点。
　［相違点４］
　前者が「ファイル書き込み処理が終了しデータ展開処理が終了した後、１つの第２メモリ領域に記憶保持され解析対象とされた１つの命令ファイルの内容を後に更新可能とするための、更新準備処理」を行うのに対して、後者はそのようなものでない点。
　［相違点５］
　前者が「複数の命令ファイルについて、２つの第２メモリ領域のうち一方に書き込まれた後に印刷バッファ領域に展開された、先行する命令ファイルの前記印刷処理と、２つの第２メモリ領域のうち他方に対する、後続の命令ファイルのファイル書き込み処理とを同時並行させる」のに対して、後者はそのような発明特定事項を有していない点。
６．判断
　上記相違点について検討する。
（１）相違点１について
　本願発明の「命令ファイル」は「命令ファイルを解析し前記印刷データを取り出す、印刷データ取り出し処理」の対象となるから、「印刷データ取り出し処理」が行われる前のものであるところ、引用発明２の「１ページ分のデータ」は「１ページ分のデータに対してレンダリング」が行われるのだから、「レンダリング」が行われる前のものである。そうすると、引用発明２の「１ページ分のデータ」は、本願発明の「命令ファイル」に相当する。
　引用発明２の「一方の印刷用記憶領域」及び「他方の印刷用記憶領域」は、「メモリー３６に２ページ分の印刷用記憶領域を用意」したもので、それぞれが「１ページ分のデータ」を記憶するから、本願発明の「複数の命令ファイルを個別にそれぞれ書き込み可能な２つの第２メモリ領域」に相当する。
　引用発明２は「１ページ分のデータをメモリー３６の一方の印刷用記憶領域に記憶すると、一方の印刷用記憶領域に記憶した１ページ分のデータに対してレンダリングと印刷を開始し、発信側端末２０から送信されるデータ応答メッセージと１ページ分のデータとを受信し、１ページ分のデータについてはメモリー３６の他方の印刷用記憶領域に記憶」するから、一方の印刷用記憶領域に記憶される１ページ分のデータと他方の印刷用記憶領域に記憶される１ページ分のデータとは時系列の前後で異なるものであり、これらの各１ページ分のデータは一方と他方との印刷用記憶領域に交互に記憶されているといえる。また、引用発明２は「印刷が終了したメモリー３６の一方の印刷用記憶領域に次の１ページ分のデータを記憶する」から、一方の印刷用記憶領域に記憶されていた１ページ分のデータの内容を更新しているといえる。そうすると、引用発明２は「複数の命令ファイルのうち時系列の前後で異なる１つずつを２つのメモリ領域を交互に使用しながら書き込むことで、当該２つのうちの１つのメモリ領域に記憶されていた元の１つの命令ファイルの内容を更新する」ものである。
　引用発明１及び２は、ともに画像処理装置という共通の技術分野に属し、命令ファイルをメモリ領域に書き込むという共通の作用・機能を奏するものである。また、引用発明２は、「印刷コンテンツデータを送受信する時間を短くすること」（段落【００２９】）を課題とするところ、印刷に係る処理に要する時間を短縮することは画像処理装置の技術分野における一般的な課題である。そうすると、引用発明１に引用発明２を適用して、相違点１に係る本願発明の発明特定事項とすることは、当業者が容易に想到し得るものである。
（２）相違点２及び３について
　一般に、画像処理装置の技術分野において、印刷データを一時的に記憶可能な印刷バッファ領域を設け、印刷データを印刷バッファ領域に展開するデータ展開処理を行うことは、本願の出願前に周知の技術である（以下、「周知技術１」という。例えば、特開２０１０−１４０２１４号公報の段落【００５６】〜【００５７】、【００６０】等には、ビットマップデータやテキストデータを、印字バッファ部の所定の記憶領域に展開して印字駆動データとして記憶し一時的に保管する点が示されている。特開２０１０−１０００６５号公報の段落【０１４２】〜【０１４３】等には、文字のフォント情報や図形を表すビット情報を、ＲＡＭ内に用意されたページバッファ領域に展開する点が示されている。）。
　そして、引用発明１と上記周知技術１とは、画像処理装置という共通の技術分野に属し、印刷データを記憶領域に記憶して印刷するという共通の作用・機能を有するものであるから、引用発明１に上記周知技術１を適用して、相違点２及び３に係る本願発明の発明特定事項とすることは、当業者が容易に想到し得るものである。
（３）相違点４について
　一般に、画像処理装置の技術分野において、メモリ領域に記憶保持されたデータを消去することは、、本願の出願前に周知の技術である（以下、「周知技術２」という。例えば、特開平５−３３０１５５号公報の段落【０００２】等には、従来の技術として、ビットマップデータが正常に印刷出力されたらデータクリアを行なう点が示されている。特開２００７−２０８７６９号公報の段落【００４４】〜【００４８】及び図６等には、ハードディスク２３への展開後のデータの格納が終了した後に、対応する印刷データをワークメモリ１３２及び第１メモリ１６３から消去する点が示されている。特開２００９−３４８３３号公報の段落【００５１】及び図７等には、展開データと二値データを作成すると、ＣＤＭ７２に記憶されている圧縮データ、及び、ＤＤＭ８６に記憶されている展開データをクリアする点が示されている。）。
　データが記憶されたメモリ領域に他のデータを書き込んでデータを更新することは、画像処理装置においてごく普通に行われていることであるところ（例えば、引用文献１の段落【００３４】（上記４．（１）エ．参照）には、「命令ファイル２０２を上書きで記憶させる」ことが示されている。）、上記周知技術２においても、データを消去した後のメモリ領域に他のデータが書き込まれてデータが更新されることは当業者にとって自明な事項であって、この場合のデータを消去することはデータを更新するための更新準備処理であるといえる。
　そして、引用発明１と上記周知技術２とは、画像処理装置という共通の技術分野に属し、記憶領域に記憶されたデータから印刷データを取り出し、他の記憶領域に書き込むという共通の作用・機能を有するものであるから、引用発明１の命令ファイルに上記周知技術２を適用して、相違点４に係る本願発明の発明特定事項とすることは、当業者が容易に想到し得るものである。
（４）相違点５について
　引用発明２は、「一方の印刷用記憶領域に書き込まれた１ページ分のデータを印刷している最中に他方の印刷用記憶領域に１ページ分のデータを受信し」、「メモリー３６の他方の印刷用記憶領域に記憶した１ページ分のデータに対してレンダリングと印刷を開始し、印刷が終了したメモリー３６の一方の印刷用記憶領域に次の１ページ分のデータを記憶するための処理を実行する」から、一方の印刷用記憶領域に書き込まれた１ページ分のデータの印刷と、他方の印刷用記憶領域への１ページ分のデータの記憶とを同時並行していることは明らかである。また、引用発明２の「データを記憶するための処理」は、本願発明の「ファイル書き込み処理」に相当する。そして、上記（１）における検討のとおり、引用発明１に引用発明２を適用することは、当業者が容易になし得ることである。
　また、上記（２）における検討のとおり、印刷データを印刷バッファ領域に展開することは、本願の出願前に周知の技術（「周知技術１」）であって、引用発明１に周知技術１を適用することは、当業者が容易になし得ることである。
　そうすると、引用発明１に引用発明２並びに周知技術１及び２を適用して、相違点５に係る本願発明の発明特定事項とすることは、当業者が容易に想到し得るものである。
　そして、本願発明の発明特定事項の全体によって奏される効果も、引用発明１及び２並びに周知技術１及び２から当業者が予測し得る範囲内のものである。
７．むすび
　以上のとおり、本願発明は、引用発明１及び２並びに周知技術１及び２に基づいて当業者が容易に発明をすることができたものであるから、特許法第２９条第２項の規定により特許を受けることができない。
　よって、結論のとおり審決する。